(57)【特許請求の範囲】
【請求項１】
被写体像を撮像する撮像部と、
上記撮像部で撮像して得た撮像画像に基づく表示を行う表示部と、
上記撮像のための操作部と、
手探り撮影モードを設定するか否かを判定する判定部と、
上記判定部によって上記手探り撮影モードが設定された場合には、上記表示部に上記操作部の操作に関する手探り撮影支援表示を表示させる表示制御部と、
上記判定部によって上記手探り撮影モードが設定された場合には、上記操作部に手探り撮影時用の機能を割り当てる機能設定部と、を具備し、
上記機能設定部は、上記操作部であるファンクションボタンに設定項目の選択機能を割り当て、上記操作部であるダイヤルに選択した設定項目の設定値選択の機能を割り当てる
ことを特徴する撮影機器。
【請求項２】
上記手探り撮影支援表示は、上記操作部の配置に関する配置表示を含む
を具備したことを特徴する請求項１に記載の撮影機器。
【請求項３】
上記手探り撮影支援表示は、上記配置表示の説明に関する説明表示を含む
を具備したことを特徴する請求項２に記載の撮影機器。
【請求項４】
上記表示制御部は、上記操作部に対する操作に基づいて上記手探り撮影支援表示を変更する
ことを特徴する請求項１乃至３のいずれか１つに記載の撮影機器。
【請求項５】
上記判定部によって上記手探り撮影モードが設定された場合には、上記操作部の操作に関する音声出力を出力する音声出力部
を具備したことを特徴する請求項１乃至４のいずれか１つに記載の撮影機器。
【請求項６】
上記判定部は、気圧の変化、上記操作部の操作、上記表示部の傾斜及び環境光のレベルの少なくとも１つに基づいて、上記手探り撮影モードを判定する
ことを特徴する請求項１乃至５のいずれか１つに記載の撮影機器。
【請求項７】
操作部の操作により被写体像を撮像する撮影機器における撮影支援方法であって、
手探り撮影モードを設定するか否かを判定する判定ステップと、
上記判定ステップにおいて上記手探り撮影モードが設定された場合には、表示部に上記操作部の操作に関する手探り撮影支援表示を表示させる表示制御ステップと、
上記判定ステップにおいて上記手探り撮影モードが設定された場合には、上記操作部に手探り撮影時用の機能を割り当てる機能設定ステップと、を具備し、
上記機能設定ステップは、上記操作部であるファンクションボタンに設定項目の選択機能を割り当て、上記操作部であるダイヤルに選択した設定項目の設定値選択の機能を割り当てる
ことを特徴する撮影支援方法。
【発明の詳細な説明】
【技術分野】
【０００１】
本発明は、ハイアングル撮影等に好適な撮影機器及び撮影支援方法に関する。
【背景技術】
【０００２】
近年、デジタルカメラなどの撮影機能付き携帯機器（撮影機器）が普及している。この種の撮影機器においては表示部を有して、撮影画像を表示する機能を有するものもある。更に、表示部にメニュー画面を表示して、撮影機器の操作を容易にしたものもある。
【０００３】
この種の撮影機器は、軽量化されてきており、撮影機器を手で頭上に構えて撮影を行うハイアングル撮影も容易となっている。特許文献１においては、撮影機器の背面に設けたパネルを回転自在に構成し、パネルの回転によってハイアングル撮影が行われるものと判定して、手ブレ補正やフォーカシングの設定をハイアングル撮影に最適化する技術が開示されている。
【先行技術文献】
【特許文献】
【０００４】
特開２００７−２１４９９９号公報
【発明の概要】
【発明が解決しようとする課題】
【０００５】
ところで、ハイアングル撮影では、撮影者は手を頭上にあげる必要があり、撮影者の操作は著しく制限される。しかし、デジタルカメラ等においては、機器筐体の上面の右端等に、レリーズボタンやその他の各種設定ボタン等が配置されており、ハイアングル撮影時においても通常の撮影時と同様に、右手の人差し指により各種操作が可能である。
【０００６】
しかしながら、ハイアングル撮影中には、撮影者が筐体上面を見ることはできず、手探りで、各種設定及びレリーズ操作等の撮影操作を行う必要がある。近年、撮影機器の機能の向上に伴って、各種設定ボタン等が増えてきており、手探りでの撮影操作では、設定ミス等が発生する可能性がある。なお、特許文献１の技術を採用した場合でも、撮影者がスルー画を見ながら希望する設定を行おうとする場合には、同様の問題が生じる。また、通常撮影時であっても、夜間等においては、手探りでの撮影を行う必要があり、ハイアングル撮影時と同様の問題が生じる。
【０００７】
本発明は、手探りでの撮影を行う場合に、手探り撮影操作のための支援表示を表示することにより、手探りでの撮影操作を確実なものとすることができる撮影機器及び撮影支援方法を提供することを目的とする。
【課題を解決するための手段】
【０００８】
本発明の一態様による撮影機器は、被写体像を撮像する撮像部と、上記撮像部で撮像して得た撮像画像に基づく表示を行う表示部と、上記撮像のための操作部と、手探り撮影モードを設定するか否かを判定する判定部と、上記判定部によって上記手探り撮影モードが設定された場合には、上記表示部に上記操作部の操作に関する手探り撮影支援表示を表示させる表示制御部と、上記判定部によって上記手探り撮影モードが設定された場合には、上記操作部に手探り撮影時用の機能を割り当てる機能設定部と、を具備し、上記機能設定部は、上記操作部であるファンクションボタンに設定項目の選択機能を割り当て、上記操作部であるダイヤルに選択した設定項目の設定値選択の機能を割り当てる。
また、本発明の一態様による撮影支援方法は、操作部の操作により被写体像を撮像する撮影機器における撮影支援方法であって、手探り撮影モードを設定するか否かを判定する判定ステップと、上記判定ステップにおいて上記手探り撮影モードが設定された場合には、表示部に上記操作部の操作に関する手探り撮影支援表示を表示させる表示制御ステップと、上記判定ステップにおいて上記手探り撮影モードが設定された場合には、上記操作部に手探り撮影時用の機能を割り当てる機能設定ステップと、を具備し、上記機能設定ステップは、上記操作部であるファンクションボタンに設定項目の選択機能を割り当て、上記操作部であるダイヤルに選択した設定項目の設定値選択の機能を割り当てることを特徴する。
【発明の効果】
【０００９】
本発明によれば、手探りでの撮影を行う場合に、手探り撮影操作のための支援表示を表示することにより、手探りでの撮影操作を確実なものとすることができるという効果を有する。
【図面の簡単な説明】
【００１０】
【図１】本発明の第１の実施の形態に係る撮影機器の回路構成を示すブロック図。
【図２】手探り撮影モードを説明するための説明図。
【図３】手探り撮影モードを説明するための説明図。
【図４】カメラ制御を説明するためのフローチャート。
【図５】本発明の第２の実施の形態において採用される手探り撮影支援表示を説明するための説明図。
【図６】本発明の第２の実施の形態において採用される手探り撮影支援表示を説明するための説明図。
【図７】第２の実施の形態において採用される動作フローを示すフローチャート。
【図８】本体部１０の上面１０ａに配置された操作部を示す説明図。
【図９】手探り撮影支援表示を説明するための説明図。
【図１０】手探り撮影支援表示を説明するための説明図。
【図１１】手探り撮影支援表示を説明するための説明図。
【図１２】手探り撮影支援表示を説明するための説明図。
【図１３】手探り撮影支援表示中における項目の選択フローを示すフローチャート。
【図１４】手探り撮影支援表示中におけるパラメータの選択フローを示すフローチャート。
【図１５】本体部１０の上面１０ａに配置された操作部を示す説明図。
【図１６】手探り撮影支援表示の一例を示す説明図。
【図１７】項目設定及びパラメータ設定の動作フローを示すフローチャート。
【図１８】本体部１０の上面１０ａに２つのファンクションボタン１１５，１１６及びレリーズボタン１１７が配置された操作部を示す説明図。
【図１９】撮影支援表示を示す説明図。
【図２０】新たにストロボが取り付けられた場合における手探り撮影支援表示を示す説明図。
【図２１】新たに電子ズーム機能を有する交換レンズが取り付けられた場合における手探り撮影支援表示を示す説明図。
【図２２】手探り撮影モード時にユーザか簡単に操作可能なファンクボタンが１つしかない場合の例を示す説明図。
【図２３】手探り撮影モード時にユーザか簡単に操作可能な操作部がタッチパネル３２以外に存在しない場合の例を示す説明図。
【図２４】手探り撮影モードへの移行の他の判定方法を説明するためのフローチャート。
【図２５】手探り撮影支援音声出力の一例を示す図表。
【発明を実施するための形態】
【００１１】
以下、図面を参照して本発明の実施の形態について詳細に説明する。
【００１２】
（第１の実施の形態）
図１は本発明の第１の実施の形態に係る撮影機器の回路構成を示すブロック図である。本実施の形態における撮影機器１は、本体部１０、交換レンズ２０及び表示部３０によって構成されている。本体部１０は、撮影機器１の主要な回路部分が収納された筐体であり、前面に交換レンズ２０が着脱自在に取り付けられ、背面に表示部３０が設けられている。
【００１３】
表示部３０は、後述するように、撮像画像を表示する表示画面３１を有している。また、表示画面３１上には、タッチパネル３２が設けられている。タッチパネル３２は、ユーザが指で指し示した表示画面３１上の位置に応じた操作信号を発生することができる。この操作信号は、本体部１０の後述する信号処理及び制御部１１に供給される。これにより、信号処理及び制御部１１は、ユーザがタッチした表示画面３１上の位置やユーザが表示画面３１上を指でスライドさせるスライド操作を行った場合には、そのスライド方向を検出することができ、ユーザ操作に対応した処理を実行することができるようになっている。
【００１４】
表示部３０は、本体部１０の背面にヒンジ部材３３によって回動自在に取り付けられている。表示画面３１を本体部１０の背面に沿って収納した状態では、撮影者は、撮影時に表示画面３１上に表示されたスルー画を確認することができ、スルー画を確認しながら撮影操作を行うことができる。また、ヒンジ部材３３によって表示部３０を傾斜させることで、表示画面３１を下方に向けることができ、撮影者は、ハイアングル撮影時においても、下方から表示画面３１上の表示を確認することができるようになっている。
【００１５】
交換レンズ２０は、本体部１０の撮像部１２に被写体像を導くレンズ部２１を有している。レンズ部２１は、ズームやフォーカシングのためのレンズ等を備えており、これらのレンズを駆動制御するための操作部２２を備えている。ズームリングやピントリング等によって構成される操作部２２の操作によって、ピントのみならず、ズーム位置や絞りの調整も可能である。
【００１６】
操作部２２は、ユーザ操作に基づく操作信号を制御部２３に出力する。制御部２３は、マイコン等によって構成されており、操作部２２からの操作信号に基づいて、回転操作及びシフト操作に基づくフォーカス信号及びズーム信号を発生して、駆動部２４を制御する。
【００１７】
モーター等によって構成された駆動部２４は、レンズ部２１に設けられたピント合わせに関連するピントレンズ及びズーミングに関連するズームレンズを駆動し、ピント制御及びズーム制御を行う。レンズ部２１にはピント制御部２１ａ及びズーム制御部２１ｂが設けられている。ピント制御部２１ａはピントレンズの位置に対応した信号をピント位置判定部２５ａに出力する。また、ズーム制御部２１ｂはズームレンズの位置（ズーム位置）に対応した信号をズーム位置判定部２５ｂに出力する。
【００１８】
ピント位置判定部２５ａは、ピント制御部２１ａの出力に基づいてピント位置を判定して判定結果を制御部２３に出力する。ズーム位置判定部２５ｂは、ズーム制御部２１ｂの出力に基づいてズーム位置を判定して判定結果を制御部２３に出力する。制御部２３は、ピント位置及びズーム位置の判定結果が与えられ、操作部２２の操作に対応したピント位置及びズーム位置となるように、駆動部２４を制御する。
【００１９】
交換レンズ２０には、通信部２８が設けられている。また、本体部１０には通信部１３が設けられている。通信部２８は、所定の伝送路を介して本体部１０の通信部１３との間で情報の送受を行う。制御部２３は、本体部１０の通信部１３との間の通信が確立すると、記録部２６に格納したレンズ情報及びズーム操作に関するズーム情報等を通信部２８，１３によって本体部１０に送信させることができる。
【００２０】
レンズ情報により、本体部１０は、交換レンズ２０がどのようなズーム機能を有しているか、ズームレンズの焦点距離範囲（倍率）、焦点距離、明るさナンバー等を認識することができる。また、本体部１０には、操作部２２からの回転操作の情報も与えられるようになっている。制御部２３は、通信部１３，２８介して本体部１０の信号処理及び制御部１１から制御信号が供給されて、信号処理及び制御部１１によって制御可能に構成されている。
【００２１】
なお、本実施の形態においては、種々の交換レンズを採用することができ、更に、交換レンズだけでなく、交換不能なレンズを採用してもよい。
【００２２】
撮影機器１を構成する本体部１０は、ＣＣＤやＣＭＯＳセンサ等の撮像素子によって構成された撮像部１２を有している。撮像部１２は、本体部１０の前面に設けられた交換レンズ２０からの被写体像を光電変換して撮影画像を得る。撮像部１２は、信号処理及び制御部１１によって駆動制御されて、撮影画像を出力する。
【００２３】
信号処理及び制御部１１は、撮像部１２に撮像素子の駆動信号を出力すると共に、撮像部１２からの撮影画像を読み出す。信号処理及び制御部１１は、読み出した撮影画像に対して、所定の信号処理、例えば、色調整処理、マトリックス変換処理、ノイズ除去処理、その他各種の信号処理を行う。
【００２４】
本体部１０には、時計部１４及び操作判定部１５も配設されている。時計部１４は信号処理及び制御部１１が用いる時間情報を発生する。操作判定部１５は、本体部１０に設けられた図示しないレリーズボタン、ファンクションボタン、撮影モード設定等の各種スイッチ等を含む操作部に対するユーザ操作に基づく操作信号を発生して、信号処理及び制御部１１に出力するようになっている。信号処理及び制御部１１は、操作信号に基づいて、各部を制御する。
【００２５】
信号処理及び制御部１１は、信号処理後の撮影画像を圧縮処理し、圧縮後の画像を記録部１６に与えて記録させることができる。記録部１６としては、例えばカードインターフェースを採用することができ、記録部１６はメモリカード等の記録媒体に画像情報及び音声情報等を記録可能である。
【００２６】
また、信号処理及び制御部１１の表示制御部１１ａは表示に関する各種処理を実行する。表示制御部１１ａは、信号処理後の撮影画像を表示部３０及び接眼表示部１７に与えることができる。表示部３０及び接眼表示部１７は、夫々ＬＣＤ等の表示画面を有しており、表示制御部１１ａから与えられた画像を表示する。また、表示制御部１１ａは、各種メニュー表示等をこれらの表示画面に表示させることもできるようになっている。
【００２７】
また、本体部１０には、ユーザが目を接眼表示部１７の接眼する部分に近接させたことを検出するアイセンサ４１が設けられている。アイセンサ４１の検出結果によって、信号処理及び制御部１１は、ユーザが目を接眼する部分に近接させたか否かを判定することができるようになっている。
【００２８】
また、本実施の形態においては、気圧センサ４２が設けられている。気圧センサ４２は、本体部１０が受ける気圧を検出して検出結果を信号処理及び制御部１１に与えるようになっている。気圧センサ４２は、例えば０．３Ｐａの分解能を有しており、約３ｃｍの気圧変化を検知可能である。本体部１０が約３０〜４０ｃｍ鉛直方向に移動した場合には、これによる気圧の変化を気圧センサ４２の出力によって検知可能である。
【００２９】
信号処理及び制御部１１の手探り撮影モード判定部１１ｄは、気圧センサ４２の検知結果及び時計部１４の時間情報等に基づいて、手探りで撮影を行う必要があるハイアングル撮影等が行われていることを検出して、手探り撮影モードを設定するか否かを判定するようになっている。また、手探り撮影モード判定部１１ｄは、例えば、レリーズボタンの半押し状態によっても、手探り撮影モードを設定するか否かを判定してもよい。信号処理及び制御部１１は、手探り撮影モード判定部１１ｄによって手探り撮影モードを設定するものと判定された場合には、手探り撮影モードに移行する。
【００３０】
機能設定部１１ｃは、手探り撮影モードが指定されると、本体部１０の各種スイッチやボタン等の操作部に、手探り撮影モードに適した機能を設定するようになっている。例えば、機能設定部１１ｃは、通常の撮影モード時にファンクションボタンに割当てられている機能とは異なる機能を割当ててもよい。例えば、機能設定部１１ｃは、手探り撮影モード時において、ハイアングル撮影時に必要な手ブレ設定、露出設定、フォーカシング設定等の機能を割り当ててもよい。なお、機能設定部１１ｃは、通常の撮影モード時の操作部の設定が、手探り撮影モード時にも利用可能である場合には、必ずしも、機能の設定変更を行わなくてもよい。
【００３１】
本実施の形態においては、手探り撮影モード判定部１１ｄの判定結果によって手探り撮影モードに移行した場合には、表示制御部１１ａは、手探り撮影モードにおける手探り撮影支援表示を表示させるようになっている。例えば、表示制御部１１ａは、手探り撮影支援表示として、本体部１０に設けた各種操作部の位置や形状及びサイズ等に対応した配置表示を表示する。表示制御部１１ａは、例えば、表示部３０の表示画面３１上の所定の領域に、実際の操作部の配置に対応させて、各操作部をアイコン表示によって表示した配置表示を表示させる。例えば、表示制御部１１ａは、配置表示として、機能設定部１１ｃによって機能が設定さた各操作部に対応する表示を表示させてもよい。
【００３２】
上述したように、ハイアングル撮影時においても、表示部３０の表示画面３１は視認可能であり、撮影者は、ハイアングル撮影中において、操作すべき操作部の位置、形状、サイズ等を配置表示によって確認することができる。
【００３３】
また、本体部１０には、各操作部に近接してタッチセンサ４３が設けられている。タッチセンサ４３は、例えば、静電容量式や感圧式のセンサによって構成されて各操作部にユーザが指で触れたことを検知して、検知結果を信号処理及び制御部１１に供給するようになっている。信号処理及び制御部１１のタッチ・操作検出部１１ｂは、操作部にユーザが指を触れたことの検知結果が与えられて、いずれの操作部がタッチ操作されたかを示す情報を表示制御部１１ａに出力する。これにより、表示制御部１１ａは、配置表示中の各操作部に対応したアイコン表示の色、濃淡、模様、形状等を変化させることで、ユーザがいずれの操作部に触れているかを提示することができるようになっている。
【００３４】
また、タッチ・操作検出部１１ｂは、操作判定部１５の出力等に基づいて、ユーザが各操作部をタッチ又は操作したことを検知することができる。タッチ・操作検出部１１ｂは、ユーザがタッチ又は操作した操作部を検知すると、検知結果を表示制御部１１ａ及び機能設定部１１ｃに出力する。表示制御部１１ａは、ユーザの操作部のタッチ又は操作に応じて、配置表示を変更する。また、機能設定部１１ｃは、ユーザの操作部の操作に応じて、必要に応じて各操作部の機能を再設定する。信号処理及び制御部１１は、操作判定部１５からの操作信号に基づいて各部を制御することで、ユーザ操作に基づく撮影処理を行って、各撮影モードに応じた撮影機能を実現する。
【００３５】
また、本体部１０には、動き検出部１８も設けられている。動き検出部１８は、ヒンジ部材３３の回転角度を検出する機構を有しており、検出結果を信号処理及び制御部１１に供給するようになっている。これにより、信号処理及び制御部１１は、表示部３０が所定の角度以上に傾斜したか否かを判定することができるようになっている。なお、動き検出部１８は、表示部３０が最大の傾斜角度まで傾斜したことを検出する機構によって構成してもよい。
【００３６】
また、本体部１０には、音声出力部１９も設けられている。音声出力部１９は、信号処理及び制御部１１から音声データが供給されて、供給された音声データに基づく音響を出力することができるようになっている。
【００３７】
次に、このように構成された実施の形態の動作について図２乃至図４を参照して説明する。図２及び図３は手探り撮影モードを説明するための説明図であり、図４はカメラ制御を説明するためのフローチャートである。
【００３８】
本実施の形態における撮影機器１は、図２（ａ），（ｃ）及び図３（ａ）に示すように、本体部１０の上面に電子ビューファインダ等の接眼表示部１７が取り付けられ、背面には例えばＬＣＤ等によって構成された表示部３０が設けられている。ユーザ６１は、例えば、本体部１０を左手で支持し（図示省略）、右手で本体部１０を保持しながら撮影を行う。本体部１０の上面には右側にレリーズボタン５１が配設されており、ユーザ６１は、右手の人差し指６３ｂでレリーズボタン５１を押下することで撮影を行う。
【００３９】
撮影機器１の電源が投入されると、信号処理及び制御部１１は、図４のステップＳ１で撮影モードが指示されたか否かを判定する。撮影モードが指示されていない場合には、信号処理及び制御部１１は、ステップＳ２において、再生モードが指示されたか否かを判定する。再生モードが指示されると、信号処理及び制御部１１は、ステップＳ３において選択画像の再生を行う。ユーザが再生画像の変更を指示すると、信号処理及び制御部１１は、ステップＳ４から処理をステップＳ５に移行して画像の変更を行う。なお、信号処理及び制御部１１は、ステップＳ２において再生モードが指定されていない場合には、ステップＳ６において撮影画像を送信する画像通信モードに移行する。
【００４０】
一方、撮影モードが指示されると、信号処理及び制御部１１は、ステップＳ１１において、レンズ交換が行われたか否かを判定して、レンズ交換が行われた場合には、交換レンズ２０の制御部２３との間で通信を行ってレンズ情報を取得する（ステップＳ１２）。次に、信号処理及び制御部１１は、ステップＳ１３において、自動露出調整（ＡＥ）及びオートフォーカス（ＡＦ）を行う。なお、ステップＳ１３において、ユーザによる露出及びフォーカシングの調整を行ってもよい。
【００４１】
次のステップＳ１４では、接眼判定が行われる。図２（ａ）に示すように、ユーザ６１が目６２を接眼表示部１７に近接させることで、本体部１０に設けたアイセンサ４１によってユーザの接眼が検出される。これにより、信号処理及び制御部１１は、接眼表示部１７の表示画面上にスルー画の表示を行う。図２（ｂ）はこの場合における表示画面１７ａ上のスルー画７１の表示例を示している。
【００４２】
次に、信号処理及び制御部１１は、手探り撮影モードの設定のために、時計部１４による現在時刻Ｔ０を記憶すると共に、気圧センサ４２による現在の気圧Ｋ０を保持する。
【００４３】
信号処理及び制御部１１は、次のステップＳ３１において、ユーザによる設定操作が発生したか否かを判定する。設定操作があった場合には、信号処理及び制御部１１は、ユーザの操作に応じて設定値（パラメータ）を変更する（ステップＳ３２）。例えば、ユーザ６１は、図２（ｃ）に示すように、本体部１０の上面を見ることで、上面に配置された各操作部を確認しながら、パラメータ設定のための操作を行う。接眼しながらの撮影では、本体部１０は比較的低く構えられており、ユーザ６１は、接眼した状態から本体部１０を僅かに傾斜させるだけで、本体部１０の上面等に配置した各操作部を視認可能であり、被写体を捉えている状態の本体部１０を大きく動かすことなく、スルー画を確認しながらパラメータの設定変更等を行うことができる。
【００４４】
次に、信号処理及び制御部１１は、撮影操作が行われたか否かを判定する（ステップＳ３３）。ユーザがレリーズボタン５１を操作して撮影を行うと、信号処理及び制御部１１は、ステップＳ３４において撮影を行う。信号処理及び制御部１１は、撮像部１２からの撮像画像に対して所定の信号処理を施して撮像画像を生成する。信号処理及び制御部１１は、生成された撮像画像を記録部１６に与えて画像ファイル化する。
【００４５】
ユーザが目６２を接眼表示部１７に接眼しない場合には、信号処理及び制御部１１は、アイセンサ４１の検知結果に基づいて、処理をステップＳ１４からステップＳ２１に移行して、スルー画を本体部１０の背面に設けた表示部３０に供給する。これにより、接眼表示部１７において表示されていたスルー画７１は、表示部３０の表示画面３１上に表示される。次に、信号処理及び制御部１１は、手探り撮影モードへの移行を判定するために、ステップＳ２２，Ｓ２３において、現在の時刻Ｔ１及び気圧Ｋ１を検出して保持する。
【００４６】
次に、信号処理及び制御部１１は、ステップＳ２４において、ユーザ６１が接眼状態を解除してから所定の時間経過したか否かを判定する。信号処理及び制御部１１は、経過時間（Ｔ１−Ｔ０）が所定時間、例えば、２，３秒未満である場合には、ユーザ６１が接眼表示部１７に接眼した状態での撮影を行う可能性があるものと判定して、処理をステップＳ３１に移行する。
【００４７】
一方、信号処理及び制御部１１は、経過時間（Ｔ１−Ｔ０）が所定時間（２，３秒）以上経過している場合には、ステップＳ２５，Ｓ２６において、手探り撮影モードに移行するか否かを判定する。ステップＳ２５では、信号処理及び制御部１１は、ユーザ６１が接眼表示部１７に接眼している状態における気圧Ｋ０と接眼解除後の現在の気圧Ｋ１との気圧差を求める。手探り撮影モード判定部１１ｄは、気圧差（Ｋ０−Ｋ１）が所定の気圧差、例えば、高低差３０〜４０ｃｍに相当する気圧差３，４Ｐａよりも大きいか否かを判定する。気圧差が３，４Ｐａ以上である場合には、手探り撮影モード判定部１１ｄは、ユーザ６１が図３（ａ）に示すように、手６３を頭上にあげて本体部１０を保持しながら撮影を行うハイアングル撮影を行っているものと判定して、手探り撮影モードへの移行を決定する。
【００４８】
手探り撮影モードに移行すると、機能設定部１１ｃは、本体部１０に配設されている各操作部に手探り撮影モードに適した機能を割り当てる。表示制御部１１ａは、ステップＳ２７において、配置表示から１０秒が経過したか否かを判定し、経過していない場合には、本体部１０の各操作部に対応した配置表示７６を表示画面３１上に表示する（ステップＳ２８）。図３（ｂ）は表示画面３１上にスルー画７５と共に表示されている配置表示７６を示している。
【００４９】
図３（ｂ）の例では、例えば本体部１０の上面に、レリーズボタン５１の外に図示しない２つのボタンが配置されており、これらの３つのボタンに対応したアイコン表示７６ａ〜７６ｃによって、これらの３つのボタンの位置、サイズ、形状をユーザ６１に認識させるようになっている。なお、アイコン表示７６ａにはレリーズボタンであることを示す文字Ｒが付記され、アイコン表示７６ｂ，７６ｃには、夫々ファンクションボタン、ムービーボタンであることを示す文字Ｆ，Ｍが付記されている。
【００５０】
ユーザ６１は、図３（ａ）に示すように、下方から目６２で表示画面３１ａを見ることで、本体部１０の上面に配置したボタンの位置やサイズ等を認識することができ、これらのボタンを実際に見ることなく、確実な操作が可能である。
【００５１】
ハイアングル撮影時に最適な撮影パラメータは、接眼時とは大きく異なることが考えられる。ハイアングル撮影時においても、接眼時と同様に、スルー画を確認しながら撮影パラメータを変更した方が、理想的な設定が容易である。従って、ハイアングル撮影時においても、本体部１０を把持した手を頭上に持ち上げた状態で設定操作を行う必要があり、各操作部を手探りで操作する必要がある。この場合において、本実施の形態においては、各操作部に対応した配置表示が、視認可能な表示画面３１ａ上にスルー画７５と共に表示されており、ユーザ６１がこの配置表示を参照することで、設定操作の確実性を著しく向上させることができる。
【００５２】
なお、ステップＳ２５，Ｓ２７において、ＮＯ判定となった場合には、手探り撮影モード判定部１１ｄは、ステップＳ２６においてレリーズボタン５１が半押しされているか否かを判定する。手探り撮影モード判定部１１ｄは、レリーズボタン５１が半押しされている場合には、手探り撮影モードへの移行が指示されたものと判定して、ステップＳ２９において所定時間配置表示を表示させる。
【００５３】
このように本実施の形態においては、手探り撮影モード時には、手探り操作のための支援表示として、操作部に対応した配置表示を表示させており、ユーザは配置表示を参照することで、各操作部を手探りで確実に操作することを可能にすることができる。この配置表示時において、ユーザはスルー画を確認することができ、ユーザは希望する設定を比較的簡単に行うことができる。また、レリーズ半押し等の操作や気圧の変化等を検出することで、自動的に手探り撮影モードに移行するようになっており、操作性に極めて優れている。
【００５４】
（第２の実施の形態）
図５及び図６は本発明の第２の実施の形態において採用される手探り撮影支援表示を説明するための説明図である。また、図７は第２の実施の形態において採用される動作フローを示すフローチャートである。本実施の形態のハードウェア構成は第１の実施の形態と同様である。
【００５５】
図６は本体部１０（図１参照）の上面１０ａに配置される操作部の一例であるダイヤル８１、レリーズボタン８２及びファンクションボタン８３を示している。このような操作部の配置によれば、図３と同様に、右手のみで、ダイヤル８１、レリーズボタン８２及びファンクションボタン８３を操作可能である。例えば、右手の人差し指で、レリーズボタン８２及びファンクションボタン８３の押圧操作が可能であり、本体部１０の背面側から右手の親指の腹の部分でダイヤル８１にタッチし、親指を左右に移動させることで、ダイヤル８１を正逆方向に回転させることができる。
【００５６】
信号処理及び制御部１１の手探り撮影モード判定部１１ｄは、図７のステップＳ４１において手探り撮影モードを設定するか否かを判定する。いま、手探り撮影モード判定部１１ｄによって、ハイアングル撮影等の手探り撮影モードが指定されるものとする。そうすると、信号処理及び制御部１１の表示制御部１１ａは、ステップＳ４２において、表示画面３１に表示するスルー画７９上に、手探り撮影支援表示として、図７（ａ）に示す配置表示８０及び説明表示８５を表示する。配置表示８０は、ダイヤル８１、レリーズボタン８２及びファンクションボタン８３を示すアイコン表示８１ａ，８２ａ，８３ａを含む。
【００５７】
機能設定部１１ｃは、各操作部の機能を手探り撮影モードに適した機能に設定する（ステップＳ４３）。配置表示８０の下方には、各操作部の機能を示す説明表示８５が表示される。図５（ａ）の例は、アイコン表示８３ａに付記されたＦｎの文字と説明表示８５の文字との対応によって、ファンクションボタン８３にメニュー機能が割り当てられていることを示している。
【００５８】
タッチ・操作検出部１１ｂは、ステップＳ４４において、ユーザのタッチ操作が行われたか否かを判定する。ユーザがファンクションボタン８３にタッチすると、タッチ・操作検出部１１ｂは、タッチセンサ４３からの信号によって、ユーザがファンクションボタン８３にタッチしたことを検出する。表示制御部１１ａは、図５（ｂ）のハッチングに示すように、ファンクションボタン８３に対応するアイコン表示８３ａの色、模様、形状、サイズ等を変化させる（ステップＳ４５）。
【００５９】
これにより、ユーザーはアイコン表示８３ａの着色等によって、今触れている操作部がファンクションボタン８３であることを確認することができる。ステップＳ４６ではユーザの選択・確定操作が行われたか否かが判定される。ユーザがファンクションボタン８３を押圧操作すると、操作判定部１５によってユーザの操作が確定操作であるものと判定され、操作信号が信号処理及び制御部１１に供給される。表示制御部１１ａは、図５（ｃ）のハッチングに示すように、アイコン表示８３ａの色、模様、形状、サイズ等を更に変化させる（ステップＳ４７）。
【００６０】
なお、説明表示８５中の対応する表示についても、ユーザのタッチ操作や押圧操作に応じて、色、模様、形状、サイズ等を変化させてもよい。また、ファンクションボタン８３の押圧操作に応じた処理が極めて高速に行われる場合には、図５（ｃ）の表示は省略してもよい。
【００６１】
機能設定部１１ｃは、ファンクションボタン８３の押圧操作が行われると、各操作部に割当てる機能を変更する（ステップＳ４８）。また、表示制御部１１ａは、機能設定部１１ｃによる機能の割当てに対応させて、説明表示８５の表示を変更すると共に、表示画面３１ａの最下部に、メニュー表示８６を表示する（ステップＳ４９）。また、表示制御部１１ａは、ダイヤル８１に対応したアイコン表示８１ａの周囲に表示させていた矢印表示８４の形状、色、サイズ、太さ等を変更して、ダイヤル８１の操作が有効であることを示す。
【００６２】
図５（ｄ）の例は、アイコン表示８１ａに付記されたＤｉａｌの文字と説明表示８５の文字との対応によって、ダイヤル８１に項目選択機能が割り当てられていることを示している。また、図５（ｄ）では、ファンクションボタン８３の押圧操作には、項目確定機能が割り当てられたことを示している。
【００６３】
図５（ｄ）のメニュー表示８６では、メニュー項目として、ＡＶ（絞り）、ＳＶ（シャッタ速度）、ＩＳＯ（ＩＳＯ感度）、ＭＦ（マニュアルフォーカス）、顔（顔認識）があることを示しており、中央のサイズが大きい項目表示によって、現在ＩＳＯが選択されていることを示している。図５（ｄ）の状態で、ユーザが本体部１０の背面側から親指を左側にスライドさせてダイヤル８１を時計方向に回転させると、この回転に応じて、選択されるメニュー項目がＩＳＯからＭＦ、顔、ＡＶ、ＳＶ、ＩＳＯと変化し、その逆方向に回転させると、選択されるメニュー項目がＩＳＯからＳＶ、ＡＶ、顔、ＭＦ、ＩＳＯと変化する。
【００６４】
なお、ユーザがダイヤル８１にタッチしたことをタッチセンサ４３によって検出して、アイコン表示８１ａの色、模様、形状、サイズ等を変化させるようにしてもよい。
【００６５】
ユーザが図５（ｄ）の状態で、ファンクションボタン８３の押圧操作を行うものとする。なお、この場合にも、ユーザのタッチ及び押圧操作に応じて、アイコン表示８３ａの色、模様、形状、サイズ等が変化する。ファンクションボタン８３が押圧操作されると、機能設定部１１ｃは、各操作部に割当てる機能を変更し、表示制御部１１ａは、機能設定部１１ｃによる機能の割当てに対応させて、説明表示８５の表示を変更すると共に、表示画面３１ａの最下部のメニュー表示８６の表示を変更する。
【００６６】
図５（ｅ）はこの場合の表示例を示しており、メニュー表示８６によって、ＩＳＯ感度を、…、５０、１００、２００，４００、８００、…と選択可能であることが示されている。なお、図５（ｅ）の状態では、ＩＳＯ感度は２００に設定されている。ユーザがダイヤル８１を回転操作することで、図５（ｄ）の場合と同様に、選択されるＩＳＯ感度が変化する。なお、信号処理及び制御部１１は、選択されたＩＳＯ感度に応じて各部を制御する。
【００６７】
ステップＳ５０において手探り撮影モードが終了するまで、ステップＳ４４〜Ｓ４９の処理が繰り返される。
【００６８】
（他の例）
次に、本体部１０の上面１０ａに１つのダイヤルと２つのファンクションボタンが配置される場合の例について図８乃至図１４を参照して説明する。図８は本体部１０の上面１０ａに配置された操作部を示す説明図である。また、図９乃至図１２は手探り撮影支援表示を説明するための説明図である。また、図１３は手探り撮影支援表示中における項目の選択フローを示すフローチャートであり、図１４は手探り撮影支援表示中におけるパラメータの選択フローを示すフローチャートである。なお、図１３及び図１４は図７のステップＳ４６〜Ｓ４９に対応するものである。
【００６９】
図８は本体部１０（図１参照）の上面１０ａに配置される操作部の一例であるダイヤル９１、レリーズボタン９２及びファンクションボタン９３，９４を示している。このような操作部の配置によれば、図６と同様に、右手のみで、ダイヤル９１、レリーズボタン９２及びファンクションボタン９３，９４を操作可能である。例えば、右手の人差し指で、レリーズボタン９２及びファンクションボタン９３，９４の押圧操作が可能であり、本体部１０の背面側から右手の親指の腹の部分でダイヤル９１にタッチし、親指を左右に移動させることで、ダイヤル９１を正逆方向に回転させることができる。なお、通常時は、ファンクションボタン９３，９４には、ユーザのカスタム機能用、拡大縮小、ズーム操作等の操作ボタンとして用いられており、手探り撮影モードに必要な機能は割当てられていない。
【００７０】
信号処理及び制御部１１の手探り撮影モード判定部１１ｄは、図７のステップＳ４１において手探り撮影モードを設定するか否かを判定する。図９（ａ）は手探り撮影モードではない通常撮影モードにおいて、表示画面３１に表示されたスルー画７９を示している。ここで、ユーザが例えばハイアングル撮影を行うものとする。手探り撮影モード判定部１１ｄは、ステップＳ４１において、手探り撮影モードを設定することを決定する。そうすると、信号処理及び制御部１１の表示制御部１１ａは、ステップＳ４２において、表示画面３１に表示するスルー画７９上に、手探り撮影支援表示を表示する。
【００７１】
図９（ｂ）では、表示制御部１１ａが手探り撮影支援表示として、配置表示９０及び説明表示９５を表示する例を示している。なお、配置表示９０及び説明表示９５は、半透過で表示してもよい。配置表示９０は、ダイヤル９１、レリーズボタン９２及びファンクションボタン９３，９４を示すアイコン表示９１ａ，９２ａ，９３ａ，９４ａを含む。
【００７２】
機能設定部１１ｃは、各操作部の機能を手探り撮影モードに適した機能に設定する（ステップＳ４３）。配置表示９０の下方には、各操作部の機能を示す説明表示９５が表示される。図９（ｂ）の例は、アイコン表示９３ａ，９４ａに付記されたＦｎ１，Ｆｎ２の文字と説明表示９５の文字との対応によって、ファンクションボタン９３にメニュー機能が割り当てられ、ファンクションボタン９４及びダイヤル９１にはまだ機能が割当てられていないことを示している。
【００７３】
タッチ・操作検出部１１ｂは、ステップＳ４４において、ユーザのタッチ操作が行われたか否かを判定する。ユーザがファンクションボタン９３にタッチすると、タッチ・操作検出部１１ｂは、タッチセンサ４３からの信号によって、ユーザがファンクションボタン９３にタッチしたことを検出する。表示制御部１１ａは、図９（ｃ）のハッチングに示すように、ファンクションボタン９３に対応するアイコン表示９３ａの色、模様、形状、サイズ等を変化させる（ステップＳ４５）。また、表示制御部１１ａは、説明表示９５中の対応する表示についても、ユーザのタッチ操作に応じて、色、フォント、文字サイズ等を変化させる。
【００７４】
ユーザーはアイコン表示９３ａの着色等によって、今触れている操作部がファンクションボタン９３であることを確認することができる。ステップＳ４６ではユーザの選択・確定操作が行われたか否かが判定される。ユーザがファンクションボタン９３を押圧操作すると、操作判定部１５によってユーザの操作が確定操作であるものと判定され、操作信号が信号処理及び制御部１１に供給される。表示制御部１１ａは、図９（ｄ）のハッチングに示すように、アイコン表示９３ａの色、模様、形状、サイズ等を更に変化させる（ステップＳ４７）。また、表示制御部１１ａは、説明表示９５中の対応する表示についても、ユーザの押圧操作に応じて、色、フォント、文字サイズ等を変化させる。また、表示制御部１１ａは、ユーザのファンクションボタン９３の押圧操作によって、ダイヤル９１の機能が有効になったことを示すために、矢印９６の表示を変化させている。
【００７５】
機能設定部１１ｃは、ファンクションボタン９３の押圧操作が行われると、各操作部に割当てる機能を変更する（ステップＳ４８）。また、表示制御部１１ａは、図１０（ａ）に示すように、機能設定部１１ｃによる機能の割当てに対応させて、説明表示９５の表示を変更すると共に、表示画面３１ａの最下部に、メニュー表示９７を表示する（ステップＳ４９）。また、表示制御部１１ａは、ダイヤル９１に対応したアイコン表示９１ａの周囲に表示させていた矢印９６の形状、色、サイズ、太さ等を変更して、ダイヤル９１の操作が有効であることを示す。
【００７６】
図１０（ａ）の例は、アイコン表示９１ａに付記されたＤｉａｌの文字と説明表示８５の文字との対応によって、ダイヤル９１に項目選択機能が割り当てられていることを示している。また、図１０（ａ）では、ファンクションボタン９３，９４の押圧操作には、夫々項目決定機能、キャンセル機能が割り当てられたことを示している。
【００７７】
項目の選択は、図１３のフローに従って行われる。図１０（ａ）のメニュー表示９７では、メニュー項目として、ＡＶ（絞り）、ＳＶ（シャッタ速度）、ＩＳＯ（ＩＳＯ感度）、ＷＢ（ホワイトバランス）、顔（顔認識）があることを示しており、中央のサイズが大きい項目表示によって、現在ＡＶが選択されていることを示している。信号処理及び制御部１１は、図１３のステップＳ５１において、現在選択されている項目を取得する。
【００７８】
図１０（ａ）の状態で、ユーザが本体部１０の背面側から親指を左側にスライドさせてダイヤル９１を時計方向に回転させると、タッチ・操作検出部１１ｂは、ステップＳ５２において、ダイヤル操作を判定する。信号処理及び制御部１１は、ステップＳ５３において、ダイヤル９１の回転に応じて、選択するメニュー項目をＡＶからＳＢ、ＩＳＯ、ＭＦ（マニュアルフォーカス）、…と変化させ、その逆方向の回転によって、選択するメニュー項目をＡＶからＷＢ、顔、…と変化させる。
【００７９】
図１０（ｂ）の例では、ダイヤル９１の操作によって、ＳＶが選択されている状態を示し、図１０（ｃ）の例では、ダイヤル９１の操作によって、ＩＳＯが選択されている状態を示している。なお、表示制御部１１ａは、ダイヤル９１の操作に対応して、回転方向を示す矢印９６の一方及びメニュー表示９７の両端の矢印９８の一方の色、形状、サイズ等を変化させると共に、説明表示９５中のＤｉａｌの欄の色、フォント、文字サイズ等を変化させる。矢印９６，９８の色をダイヤル９１の回転方向に合わせて一致させることにより、ユーザが自分が行った操作の内容を認識し易くする。
【００８０】
例えば、ダイヤル９１の時計方向の回転に対応した矢印９６の色とメニュー表示９７のメニュー項目の左方向に対応した矢印９８の色を同一の色（赤色）とし、他方の矢印９６，９８の色を同一の色（青色）で表示するようにしてもよい。
【００８１】
ユーザが図１０（ｃ）の状態で、ファンクションボタン９３の押圧操作を行うものとする。タッチ・操作検出部１１ｂは、ステップＳ５６において、ファンクションボタン９３の押圧操作を検出しており、信号処理及び制御部１１は、ステップＳ５７において項目を決定する。なお、ファンクションボタン９４が押圧操作された場合には、信号処理及び制御部１１は、ステップＳ５５において項目を元に戻した後、処理をステップＳ５２に戻す。
【００８２】
また、表示制御部１１ａは、ユーザの押圧操作に応じて、図１１（ａ）に示すように、アイコン表示９３ａ及び説明表示９５のＦｎ１の欄の色、模様、形状、サイズ等を変化させる。また、表示制御部１１ａは、メニュー表示９７において、決定された項目を示す部分の色、模様、形状、サイズ等も変化させる。例えば、図１１（ａ）のハッチングの領域及び項目決定の文字を赤色で表示する。
【００８３】
また、機能設定部１１ｃは、各操作部に割当てる機能を変更し、表示制御部１１ａは、機能設定部１１ｃによる機能の割当てに対応させて、説明表示９５の表示を変更すると共に、表示画面３１ａの最下部のメニュー表示９７の表示を変更する。
【００８４】
図１１（ｂ）はこの場合の表示例を示しており、メニュー表示９７によって、ＩＳＯ感度を、…、５０、８０、１００、２００，２５０、…と選択可能であることが示されている。図１１（ｂ）のメニュー表示９７は、ＩＳＯ感度のパラメータを選択及び決定するためのものであり、パラメータの選択及び決定は、図１４のフローに従って行われる。
【００８５】
図１４のステップＳ６１において、信号処理及び制御部１１は、現在のパラメータを取得する。なお、図１１（ｂ）の状態では、ＩＳＯ感度は１００に設定されている。タッチ・操作検出部１１ｂは、ステップＳ６２においてユーザのダイヤル操作を判定しており、ユーザがダイヤル９１を回転操作することで、図１０（ｂ），（ｃ）の場合と同様に、選択されるＩＳＯ感度が変化する（ステップＳ６３）。図１１（ｃ）の例では、ダイヤル９１の操作によって、ＩＳＯ感度８０が選択されている状態を示し、図１２（ａ）の例では、ダイヤル９１の操作によって、ＩＳＯ感度５０が選択されている状態を示している。なお、信号処理及び制御部１１は、選択されたＩＳＯ感度に応じて各部を制御する（ステップＳ６４）。
【００８６】
表示制御部１１ａは、ダイヤル９１の操作に対応して、回転方向を示す矢印９６の一方及びメニュー表示９７の両端の矢印９８の一方の色、形状、サイズ等を変化させると共に、説明表示９５中のＤｉａｌの欄の色、フォント、文字サイズ等を変化させる。矢印９６，９８の色をダイヤル９１の回転方向に合わせて一致させることにより、ユーザが自分が行った操作の内容を認識し易くする。
【００８７】
例えば、ダイヤル９１の反時計方向の回転に対応した矢印９６の色とメニュー表示９７のメニュー項目の右方向に対応した矢印９８の色を同一の色（赤色）とし、他方の矢印９６，９８の色を同一の色（青色）で表示するようにしてもよい。また、説明表示９５のＤｉａｌの欄の文字列「ＩＳＯ値選択」を赤色で表示する。
【００８８】
ユーザが図１２（ａ）の状態で、ファンクションボタン９３の押圧操作を行うものとする。タッチ・操作検出部１１ｂは、ステップＳ６８において、ファンクションボタン９３の押圧操作を判定している。ユーザの押圧操作に応じて、図１２（ｂ）に示すように、アイコン表示９３ａ及び説明表示９５のＦｎ１の欄の色、模様、形状、サイズ等が変化する。また、表示制御部１１ａは、メニュー表示９７において、決定された項目を示す部分の色、模様、形状、サイズ等も変化させる。例えば、図１２（ｂ）のハッチングの領域及び「ＩＳＯ値決定」の文字を赤色で表示する。
【００８９】
ステップＳ６９の決定操作によって、表示制御部１１ａは、図１２（ｃ）に示すように、手探り撮影支援表示を図９（ｂ）の状態に戻す。なお、ステップＳ６５において、ファンクションボタン９４の押圧操作が検出された場合には、パラメータが変更前の値に戻された後（ステップＳ６６）、そのパラメータに従った設定が実行され（ステップＳ６７）、処理がステップＳ６２に戻される。
【００９０】
なお、ファンクションボタン９４の押圧操作によって、変更前の項目、変更前のパラメータに戻す例を示したが、ファンクションボタン９４の押圧操作によって、項目選択の終了、パラメータ選択の終了が行われるようにしてもよい。
【００９１】
（他の例）
次に、本体部１０の上面１０ａに２つのダイヤルが配置される場合の例について図１５乃至図１７を参照して説明する。図１５は本体部１０の上面１０ａに配置された操作部を示す説明図である。また、図１６は手探り撮影支援表示の一例を示す説明図であり、図１７は項目設定及びパラメータ設定の動作フローを示すフローチャートである。なお、図１７は図７のステップＳ４６〜Ｓ４９に対応するものである。
【００９２】
図１５は本体部１０（図１参照）の上面１０ａに配置される操作部の一例であるダイヤル１０１，１０２及びレリーズボタン１０３を示している。このような操作部の配置によれば、右手のみで、ダイヤル１０１，１０２及びレリーズボタン１０３を操作可能である。例えば、本体部１０の背面側から右手の親指の腹の部分でダイヤル１０１にタッチし、親指を左右に移動させることで、ダイヤル１０１を正逆方向に回転させることができる。また、右手の人差し指で、レリーズボタン１０３の押圧操作が可能であると共に、人差し指でダイヤル１０２を正逆方向に回転操作することも可能である。
【００９３】
なお、通常時は、ダイヤル１０１，１０２には、シャッタスピードや絞り等の設定用に用いられており、手探り撮影モードに必要な機能は割当てられていない。
【００９４】
信号処理及び制御部１１の手探り撮影モード判定部１１ｄは、図７のステップＳ４１において手探り撮影モードを設定するか否かを判定する。例えば、ユーザがハイアングル撮影を行うと、手探り撮影モード判定部１１ｄは、ステップＳ４１において、手探り撮影モードを設定することを決定する。そうすると、信号処理及び制御部１１の表示制御部１１ａは、ステップＳ４２において、表示画面３１に表示するスルー画７９上に、例えば、図１６に示す手探り撮影支援表示を表示する。
【００９５】
図１６では、表示制御部１１ａが手探り撮影支援表示として、配置表示１００及び説明表示１０５を表示する例を示している。なお、配置表示１００及び説明表示１０５は、半透過で表示してもよい。配置表示１００は、ダイヤル１０１，１０２及びレリーズボタン１０３を示すアイコン表示１０１ａ，１０２ａ，１０３ａを含む。
【００９６】
機能設定部１１ｃは、各操作部の機能を手探り撮影モードに適した機能に設定する（ステップＳ４３）。配置表示１００の下方には、各操作部の機能を示す説明表示１０５が表示される。図１６（ａ）の例は、アイコン表示１０１ａ，１０２ａに付記されたＤｉａｌ１，Ｄｉａｌ２の文字と説明表示１０５の文字との対応によって、ダイヤル１０１に設定項目選択機能が割り当てられ、ダイヤル１０２に設定値（パラメータ）選択機能が割当てられていることを示している。
【００９７】
また、表示制御部１１ａは、図１６（ａ）に示すように、機能設定部１１ｃによる機能の割当てに対応させて、表示画面３１ａの最下部に、メニュー表示１０６，１０７を表示する。また、表示制御部１１ａは、ダイヤル１０１に対応したアイコン表示１０１ａの周囲に表示させる矢印表示１０１ｂの色を回転方向毎に変化させると共に、これらの各色とメニュー表示１０６の両端の矢印表示１０８の各色とを変化方向に対応させて一致させる。また、表示制御部１１ａは、ダイヤル１０２に対応したアイコン表示１０２ａの周囲に表示させる矢印表示１０２ｂの色を回転方向毎に変化させると共に、これらの各色とメニュー表示１０７の両端の矢印表示１０９の各色とを変化方向に対応させて一致させる。
【００９８】
タッチ・操作検出部１１ｂは、ステップＳ４４において、ユーザのタッチ操作が行われたか否かを判定する。ユーザがダイヤル１０１，１０２にタッチすると、タッチ・操作検出部１１ｂは、タッチセンサ４３からの信号によって、ユーザがダイヤル１０１，１０２にタッチしたことを検出する。表示制御部１１ａは、ダイヤル１０１，１０２に対応するアイコン表示１０１ａ，１０２ａの色、模様、形状、サイズ等を変化させる（ステップＳ４５）。また、表示制御部１１ａは、説明表示１０５中の対応する表示についても、ユーザのタッチ操作に応じて、色、フォント、文字サイズ等を変化させる。ユーザーはアイコン表示１０１ａ，１０２ａの着色等によって、今触れている操作部がダイヤル１０１，１０２であることを確認することができる。
【００９９】
図１６（ａ）のメニュー表示１０６では、メニュー項目として、ＡＶ（絞り）、ＳＶ（シャッタ速度）、ＩＳＯ（ＩＳＯ感度）、ＭＦ（マニュアルフォーカス）、顔（顔認識）があることを示しており、中央の色（ハッチング）が他と異なる項目表示によって、現在ＩＳＯが選択されていることを示している。また、図１６（ａ）のメニュー表示１０７では、ＩＳＯ感度の設定値として、…、５０、８０、１００、２００、２５０、…、があることを示しており、中央の色（ハッチング）が他と異なる設定値表示によって、現在のＩＳＯ感度として１００が選択されていることを示している。
【０１００】
信号処理及び制御部１１は、図１７のステップＳ７１において、現在選択されている項目及びパラメータを取得する。タッチ・操作検出部１１ｂは、ステップＳ７２，Ｓ７４において、ダイヤル１０１，１０２の操作を検出する。
【０１０１】
図１６（ａ）の状態で、ユーザが本体部１０の背面側から親指を左側にスライドさせてダイヤル１０１を時計方向に回転させると、信号処理及び制御部１１は、ステップＳ７３において、ダイヤル１０１の回転に応じて、選択するメニュー項目をＩＳＯからＭＦ、顔、…と変化させ、その逆方向の回転によって、選択するメニュー項目をＩＳＯからＳＶ、ＡＶ、…と変化させる。
【０１０２】
この項目選択操作に応じて、機能設定部１１ｃは、選択された各項目の設定値の設定機能をダイヤル１０２に割当てる。例えば、ダイヤル１０１によってＩＳＯが選択されている場合には、ダイヤル１０２には、ＩＳＯ感度の設定値を変更する機能が割当てられ、ダイヤル１０１によってＡＶが選択されている場合には、ダイヤル１０２には、ＡＶの設定値を変更する機能が割当てられられる。
【０１０３】
また、表示制御部１１ａは、ダイヤル１０２に割当てられている機能に応じて、選択可能な各設定値を表示する。図１６（ａ）の状態で、ユーザが人差し指でダイヤル１０２を時計方向に回転させると、信号処理及び制御部１１は、ステップＳ７５において、ダイヤル１０２の回転に応じて、選択する設定値を１００から２００、２５０、…と変化させ、その逆方向の回転によって、選択する設定値を１００から８０、５０、…と変化させる。なお、信号処理及び制御部１１は、選択されたＩＳＯ感度に応じて各部を制御する（ステップＳ７６）。
【０１０４】
なお、設定項目として、表示のオフを割当てることにより、図１６の手探り撮影支援表示の非表示を設定することも可能である。また、設定項目をユーザによって設定可能に構成してもよい。
【０１０５】
（他の例）
また、図１５の例は２つのダイヤルを用いる例を説明したが、これらのダイヤルの機能をファンクションボタンによって実現することも可能である。図１８は本体部１０の上面１０ａに２つのファンクションボタン１１５，１１６及びレリーズボタン１１７が配置された操作部を示す説明図である。
【０１０６】
例えば、ファンクションボタン１１５に、図１５のダイヤル１０１の機能を割り当て、ファンクションボタン１１６に、図１５のダイヤル１０２の機能を割り当ててもよい。この場合には、ファンクションボタン１１５，１１６の１回の押圧操作によって、ダイヤル１０１，１０２を一方方向に１単位だけ回転させた場合と同様の動作を行わせる。これにより、図１６と同様に、設定項目の選択操作と各設定項目の設定値の設定操作とを、これらのファンクションボタン１１５，１１６の押圧操作によって、行うことができる。
【０１０７】
また、例えば、２つのファンクションボタン１１５，１１６を、オートフォーカス（ＡＦ）処理におけるＡＦ枠の選択操作に用いることもできる。図１９はこの場合における撮影支援表示を示す説明図である。
【０１０８】
図１９では、表示制御部１１ａが手探り撮影支援表示として、配置表示１１８及び説明表示１１９を表示する例を示している。なお、配置表示１１８及び説明表示１１９は、半透過で表示してもよい。配置表示１１８は、ファンクションボタン１１５，１１６を示すアイコン表示１１５ａ，１１６ａを含む。配置表示１１８の下方には、各操作部の機能を示す説明表示１１９が表示される。図１９の例は、アイコン表示１１５ａ，１１６ａに付記されたＦｎ１，Ｆｎ２の文字と説明表示１１９の文字との対応によって、ファンクションボタン１１５にｘ方向のＡＦ枠の切替機能が割り当てられ、ファンクションボタン１１６にｙ方向のＡＦ枠の切替機能が割り当てられることを示している。
【０１０９】
表示画面３１のスルー画７９上には、ＡＦ枠選択表示１２０が表示されており、現在のＡＦ枠が枠表示１１０によって示されている。例えば、ユーザがファンクションボタン１１５を押圧操作することにより、ＡＦ枠が右方向に１枠ずつずれ、一番右に達すると左端に戻って１枠ずつ右方向に移動する。同様に、ユーザがファンクションボタン１１６を押圧操作すると、ＡＦ枠が下方向に１枠ずつずれ、一番下に達すると上端に戻って１枠ずつ下方向に移動する。
【０１１０】
ユーザは配置表示１１８及び説明表示１１９を参照しながら、ファンクションボタン１１５，１１６を操作することで、ハイアングル撮影時においても、確実にＡＦ枠の設定が可能である。
【０１１１】
ところで、撮影機器１には、種々のデバイスを取り付け可能であり、取り付けられたデバイスの通信機能を利用して、信号処理及び制御部１１は各デバイスに関する情報を取得可能である。例えば、上述したように、交換レンズ２０の制御部２３からのレンズ情報によって、信号処理及び制御部１１は、交換レンズ２０がズームレンズであって、信号処理及び制御部１１の制御によって、ズーム制御が可能であることを把握することもできる。また、例えば、撮影機器１に取り付けられたストロボからの情報に基づいて、信号処理及び制御部１１の制御によって、ストロボ制御が可能であることを把握することもできる。
【０１１２】
信号処理及び制御部１１は、撮影機器１に新たなデバイスが接続された場合に、このデバイスに対応する設定項目を新たに追加すると共に、追加した設定項目に対応する設定値の設定を可能にする。即ち、機能設定部１１ｃは、新たに撮影機器１に接続されたデバイスを制御するための機能を操作部に割当て、表示制御部１１ａは手探り撮影支援表示によって、操作部に割当てた機能に応じた表示を行う。
【０１１３】
図２０及び図２１は新たにストロボ及び電子ズーム機能を有する交換レンズが取り付けられた場合において、図１５に対応した手探り撮影支援表示を示す説明図である。図２０の例は、ストロボが取り付けられた場合の例であり、ダイヤル１０１によって選択する設定項目として、ガイドナンバー（ＧＮ）が新たに設けられる。図２０の状態では、ダイヤル１０２によって、ガイドナンバーを…、２、５、１０、１５、２０、…と変更可能である。
【０１１４】
また、図２１は交換レンズが取り付けられた場合の例であり、ダイヤル１０１によって選択する設定項目として、ＺＯＯＭ（ズーム）が新たに設けられる。図２１の例では、ダイヤル１０２の操作に対応したメニュー表示１１１には、設定値をバー１１３の移動によって示すバー表示１１２が含まれる。図２１の例では、現在の設定値が４５ｍｍであることが示されている。
【０１１５】
また、図２２は、手探り撮影モード時にユーザか簡単に操作可能なファンクボタンが１つしかない場合の例を示す説明図である。この場合には、例えば、ファンクションボタンに項目設定機能を割り当て、各項目の設定値の設定は、表示画面３１上に配設したタッチパネル３２を用いて行う方法が考えられる。図２２において、手探り撮影支援表示は、配置表示１２１及びメニュー表示１２２，１２３を含む。
【０１１６】
ユーザがファンクションボタンを操作することによって、配置表示１２１の色、模様、形状、サイズ等が変化する。ファンクションボタンの押圧操作によって、設定項目が変化し、メニュー表示１２２の各項目が上下にシフトする。図２１の例では、中央に位置するＧＮ（ガイドナンバー）が設定項目として選択されていることを示している。
【０１１７】
この状態で、ユーザがタッチパネル３２のメニュー表示１２３上をタッチすることによって、設定値を指定可能である。図２２の例では、ユーザが設定値５の表示上をタッチしたことによって、ＧＮの設定値として５が選択されたことを示している。
【０１１８】
更に、図２３は手探り撮影モード時にユーザか簡単に操作可能な操作部がタッチパネル３２以外に存在しない場合の例を示す説明図である。この場合には、例えば、メニュー表示１３１によって設定項目を選択させ、メニュー表示１３２によって各項目の設定値を選択させる。
【０１１９】
ユーザが表示画面３１のメニュー表示１３１上をタッチすることで、タッチした位置の設定項目が選択され、メニュー表示１３２上をタッチすることで、選択された設定項目の設定値が選択される。図２３の例では、タッチ操作によって、ＧＮ（ガイドナンバー）が設定項目として選択され、設定値が１０であることを示している。
【０１２０】
このように本実施の形態においても、第１の実施の形態と同様の効果が得られ、手探り撮影モード時には、通常時に操作部に割当てられている機能を変更して、手探り撮影に適した機能を割当てる。これにより、各操作部を有効に利用して、手探り撮影時にも確実な撮影操作が可能である。
【０１２１】
（手探り撮影モード判定の他の例）
図４のフローでは、手探り撮影モードに移行するか否かを気圧の変化又はレリーズボタンが半押しされたか否かによって判定した。図２４は手探り撮影モードへの移行の他の判定方法を説明するためのフローチャートである。
【０１２２】
図２４のステップＳ８１において、信号処理及び制御部１１は、動き検出部１８の検出結果によって、表示部３０の表示画面３１の傾斜角度を取得する。信号処理及び制御部１１は、表示画面３１の傾斜角度が規定値を超えたか否かを判定する。ハイアングル撮影時には、表示画面３１を下方から見上げることから、ユーザは、ハイアングル撮影時に、表示画面３１を規定の角度以上傾斜させる。信号処理及び制御部１１は、表示画面３１が規定値以上傾斜したものと判定すると、処理をステップＳ８５に移行して、手探り撮影モードを設定する。
【０１２３】
また、表示画面３１の傾斜角度が規定値に到達しない場合には、信号処理及び制御部１１は、ステップＳ８３において、環境光レベルを取得する。例えば、信号処理及び制御部１１は、撮像部１２からの撮像信号に基づいて環境光レベルを求める。信号処理及び制御部１１は、環境光レベルが規定値以下であるか否かを判定する（ステップＳ８４）。環境光が規定値以下のレベルである場合には、周囲が暗く、手探りでの撮影操作を行う必要があるものと判定して、ステップＳ８５において、手探り撮影モードを設定する。
【０１２４】
このように、例えば、手探り撮影モードは、気圧が所定値以上低くなった場合、レリーズボタンが半押しされた場合、表示画面が規定値以上傾斜した場合、環境光が規定値以下になった場合等に設定される。
【０１２５】
（音による提示）
上記各実施の形態においては、手探り撮影モード時には、手探り撮影支援表示のみを行うものとして説明したが、手探り撮影支援表示だけでなく、手探り撮影支援音声出力を行うようにしてもよい。例えば、図５（ｂ），（ｃ）では、ファンクションボタン８３のタッチ操作又は確定操作時に、色等を変化させてユーザに提示する例を示したが、信号処理及び制御部１１は、音声出力部１９を制御することで、ユーザのタッチ操作等を音声によってユーザに提示するようにしてもよい。図２５はこのような手探り撮影支援音声出力の一例を示す図表である。図２５に示すように、各操作部の種類及び操作の種類毎に、タッチ、タッチ音声、操作音、操作音声を変化させることで、ユーザが自分がいずれの操作部に対してどのような操作を行っているかを、音声によって簡単で且つ確実に把握することができる。
【符号の説明】
【０１２６】
１…撮影機器、１０…本体部、１１…信号処理及び制御部、１１ａ…表示制御部、１１ｂ…タッチ・操作検出部、１１ｃ…機能設定部、１１ｄ…手探り撮影モード判定部、１２…撮像部、１４…時計部、１５…操作判定部、１７…接眼表示部、１８…動き検出部、２０…交換レンズ、３０…表示部、３１…表示画面、３２…タッチパネル、３３…ヒンジ部材、４１…アイセンサ、４２…気圧センサ、４３…タッチセンサ。
【図１】
0005959297.tif 000002
【図２】
0005959297.tif 000003
【図３】
0005959297.tif 000004
【図４】
0005959297.tif 000005
【図５】
0005959297.tif 000006
【図６】
0005959297.tif 000007
【図７】
0005959297.tif 000008
【図８】
0005959297.tif 000009
【図９】
0005959297.tif 000010
【図１０】
0005959297.tif 000011
【図１１】
0005959297.tif 000012
【図１２】
0005959297.tif 000013
【図１３】
0005959297.tif 000014
【図１４】
0005959297.tif 000015
【図１５】
0005959297.tif 000016
【図１６】
0005959297.tif 000017
【図１７】
0005959297.tif 000018
【図１８】
0005959297.tif 000019
【図１９】
0005959297.tif 000020
【図２０】
0005959297.tif 000021
【図２１】
0005959297.tif 000022
【図２２】
0005959297.tif 000023
【図２３】
0005959297.tif 000024
【図２４】
0005959297.tif 000025
【図２５】
0005959297.tif 000026